(57)【要約】【課題】  操作上の間違いを確実に防止できる回線制御システムを提供すること。【解決手段】  外部システムから伝送開始される映像音声信号の系統を、前記外部システムから送られてくるトリガ信号をもとに判別し、該当する切替制御画面を自動的に表示する。また、前記表示した切替制御画面の前記判別した系統の信号の種類、信号フォーマットに該当する状態監視エリアにおける表示エリア２２３の切替ボタンが明滅するため、オペレータはどの系統からどのような信号の種類、信号フォーマットで映像音声信号が入力されたかを瞬時に判別することが可能になる。また、信号種表記文字が赤色に色変化した選択エリア２３１の信号種ボタン２４２をオペレータがマウス操作により選択し、切替ボタン２５１をマウス操作により押下するという簡単な操作でマトリックススイッチャ１０２の切替制御を実現する。【選択図】図１
2006237697.tif 000002
【特許請求の範囲】
【請求項１】
マトリックススイッチャのクロスポイントを切替制御する回線制御システムにおいて、
前記マトリックススイッチャのクロスポイントの初期状態における入力回線接続情報と出力回線接続情報とを取得し、前記マトリックススイッチャのクロスポイントを切替制御するための初期画面へ反映させる接続情報反映手段と、
前記マトリックススイッチャの特定の入力端子へ与えられる入力信号の伝送開始を通知する伝送開始通知信号を検出し識別し、前記伝送開始通知信号により伝送開始が通知された前記入力信号についての前記マトリックススイッチャのクロスポイントの出力回線接続情報を判定する判定手段と、
前記判定手段により判定した前記出力回線接続情報についての前記マトリックススイッチャのクロスポイントの初期状態における入力回線接続情報が反映された切替制御画面を表示する出力手段と、
前記判定手段により判定した前記出力回線接続情報について、伝送開始された入力信号が入力された前記マトリックススイッチャの入力端子に対応する入力回線接続情報と、前記初期画面へ反映させた前記マトリックススイッチャのクロスポイントの初期状態における入力回線接続情報との相違を識別可能に表示処理し、前記切替制御画面上で前記マトリックススイッチャの切替制御を行う際の表示形態処理を行う表示形態処理手段と、
前記表示形態処理手段により前記入力回線接続情報が表示処理された前記切替制御画面上での画面操作に応じた前記マトリックススイッチャのクロスポイントの切替制御処理を実行するスイッチャ制御手段と、
を備えたことを特徴とする回線制御システム。
【請求項２】
前記表示形態処理手段は、前記判定手段により判定した前記出力回線接続情報について、伝送開始された入力信号が入力された前記マトリックススイッチャの入力端子に対応する入力回線接続情報を前記マトリックススイッチャから取得し、前記取得した入力回線接続情報を前記切替制御画面の選択エリアに識別可能に表示処理し、前記選択エリアに表示した前記入力回線接続情報と、前記マトリックススイッチャのクロスポイントの前記初期状態における入力回線接続情報とが異なっていると、前記初期画面へ反映させた前記マトリックススイッチャのクロスポイントの初期状態における入力回線接続情報を明滅させ、前記切替制御画面上で前記マトリックススイッチャの切替制御を行う際の変更すべき入力回線接続情報を識別可能に表示処理することを特徴とする請求項１記載の回線制御システム。
【発明の詳細な説明】
【技術分野】
【０００１】
本発明は、例えば放送局の外部から入力される映像音声信号を、各種スタジオや収録室を含む局内設備へ分配するのに用いて好適なマトリックススイッチャのクロスポイントを切替制御する回線制御システムに関する。
【背景技術】
【０００２】
テレビジョン放送番組やビデオソフトを作成する放送局においては、スイッチがマトリックス状に配置されたマトリックススイッチャが設けられており、このマトリックススイッチャの前記スイッチを任意に切り替え制御することにより、放送局の外部から入力される映像音声信号を、各種スタジオや収録室を含む局内設備へ分配するようにしている。
このようなマトリックススイッチャの前記スイッチを任意に切替制御する従来の回線制御システムにおいては、放送局の外部から伝送された映像音声信号を前記各種スタジオや収録室を含む局内設備へ分配するための前記マトリックススイッチャの前記スイッチの切替制御がオペレータの切替操作により行われている。この場合、放送局外部の外部システムから電話などの手段により前記オペレータへ伝送開始などの情報が通知され、前記オペレータは前記通知された情報をもとに伝送開始される系統の切替画面を表示させ、この切替画面上で前記マトリックススイッチャの前記スイッチを切替制御する。
【０００３】
このようなマトリックススイッチャのマトリックス状に配置されたスイッチを切替制御することにより各種信号を各種スタジオや収録室を含む局内設備へ分配するものとしては、異なる通信プロトコルにより送信された制御データにより切替制御される一対のマトリックススイッチャユニットの切替制御のための操作の複雑化を回避しようとするものがある（特許文献１参照）。
【特許文献１】特開平０５−３２８２１６号公報
【発明の開示】
【発明が解決しようとする課題】
【０００４】
かかる従来の回線制御システムでは、以下の短所が付随している。すなわち、放送局外部の外部システムから映像音声信号を伝送開始するとき、マトリックススイッチャを切替制御するオペレータに対し、電話などの手段により前記映像音声信号の伝送開始についての情報が通知される。この通知される情報には伝送開始される前記映像音声信号がどの系統の信号であるかなどの情報を含み、前記オペレータはこの通知を電話で受け、前記マトリックススイッチャを切替制御することになるが、運用が煩雑であるとともに、人から人へ必要な情報が伝達されて、この情報をもとにオペレータがマトリックススイッチャを切替制御することから、操作上の間違いが発生する可能性が大きいという課題があった。
【０００５】
本発明は、このような事情に鑑みてなされたものであり、マトリックススイッチャの切替制御において、操作上の間違いを確実に防止して操作性を向上させた回線制御システムを提供することを目的とする。
【課題を解決するための手段】
【０００６】
上述の目的を達成するため、本発明にかかる回線制御システムは、マトリックススイッチャのクロスポイントの初期状態における入力回線接続情報と出力回線接続情報とを取得し、前記マトリックススイッチャのクロスポイントを切替制御するための初期画面へ反映させる接続情報反映手段と、前記マトリックススイッチャの特定の入力端子へ与えられる入力信号の伝送開始を通知する伝送開始通知信号を検出し識別し、前記伝送開始通知信号により伝送開始が通知された前記入力信号についての前記マトリックススイッチャのクロスポイントの出力回線接続情報を判定する判定手段と、前記判定手段により判定した前記出力回線接続情報についての前記マトリックススイッチャのクロスポイントの初期状態における入力回線接続情報が反映された切替制御画面を表示する出力手段と、前記判定手段により判定した前記出力回線接続情報について、伝送開始された入力信号が入力された前記マトリックススイッチャの入力端子に対応する入力回線接続情報と、前記初期画面へ反映させた前記マトリックススイッチャのクロスポイントの初期状態における入力回線接続情報との相違を識別可能に表示処理し、前記切替制御画面上で前記マトリックススイッチャの切替制御を行う際の表示形態処理を行う表示形態処理手段と、前記表示形態処理手段により前記入力回線接続情報が表示処理された前記切替制御画面上での画面操作に応じた前記マトリックススイッチャのクロスポイントの切替制御処理を実行するスイッチャ制御手段とを備えたことを特徴とする
【発明の効果】
【０００７】
このような本発明の回線制御システムによれば、外部システムから送られてくる伝送開始通知信号をもとに判定した出力回線接続情報について、伝送開始された入力信号が入力されたマトリックススイッチャの入力端子に対応する入力回線接続情報と、切替制御画面の初期画面へ反映させた前記マトリックススイッチャのクロスポイントの初期状態における入力回線接続情報との相違を識別可能に表示処理することが出来るため、オペレータが前記切替制御画面上で前記マトリックススイッチャの切替制御を行う際の変更すべき入力回線接続情報の識別が容易になり、操作上の間違いを確実に防止して操作性を向上させた回線制御システムを提供できる効果がある。
【発明を実施するための最良の形態】
【０００８】
マトリックススイッチャの切替制御において、操作上の間違いを確実に防止できる回線制御システムを提供するという目的を、マトリックススイッチャのクロスポイントの初期状態における入力回線接続情報と出力回線接続情報とを取得し、前記マトリックススイッチャのクロスポイントを切替制御するための初期画面へ反映させ、前記マトリックススイッチャの特定の入力端子へ与えられる入力信号の伝送開始を通知する伝送開始通知信号を検出し識別し、前記伝送開始通知信号により伝送開始が通知された前記入力信号についての前記マトリックススイッチャのクロスポイントの出力回線接続情報を判定し、前記判定した前記出力回線接続情報についての前記マトリックススイッチャのクロスポイントの初期状態における入力回線接続情報が反映された切替制御画面を表示し、表示形態処理手段
が、前記判定した前記出力回線接続情報について、伝送開始された入力信号が入力された前記マトリックススイッチャの入力端子に対応する入力回線接続情報と、前記初期画面へ反映させた前記マトリックススイッチャのクロスポイントの初期状態における入力回線接続情報との相違を識別可能に表示処理することで実現した。
【実施例１】
【０００９】
図１は、この実施例１の回線制御システムの構成を示すブロック図である。
この回線制御システムは、前段処理用周辺機器群１０１、マトリックススイッチャ１０２、スイチャコントローラ（スイッチャ制御手段）１０３、信号分配などを含む信号処理用周辺機器群１０４、映像音声信号を監視する監視用周辺機器群１０５および局内設備１０８を含む構成である。監視用周辺機器群１０５は、アラーム監視用パーソナルコンピュータ（以下、アラーム監視用ＰＣという）１０６およびマトリックススイッチャ制御用パーソナルコンピュータ（以下、マトリックススイッチャ制御用ＰＣという）１０７を備えている。なお、マトリックススイッチャ制御用ＰＣ１０７は、接続情報反映手段、判定手段、出力手段，表示形態処理手段，スイッチャ制御手段に対応する。
符号１０９は中継で使用する送受信装置（以下、ＦＰＵ：Ｆｉｅｌｄ  Ｐｉｃｋ  Ｕｐという）であり、放送局の外部から各種映像音声信号を放送局へ伝送するための中継車などを含む外部システムである。このＦＰＵ１０９は、映像音声信号の伝送を開始するとき、その映像音声信号の伝送開始を示すトリガ信号をこの回線制御システムへ出力する機能を備えている。
【００１０】
前段処理用周辺機器群１０１は、前記外部システムを含む放送局外部から入力される各種映像音声信号を一定のレベルに合わせ込むための周辺機器群である。この前段処理用周辺機器群１０１は、前段処理のための信号分配器、アップコンバータ、マルチプレクサ、デマルチプレクサ、フレームシンクロナイザおよびレベルコントローラを備えている。
マトリックススイッチャ１０２は、前記外部システムを含む放送局外部から入力される各種映像音声信号を収容し、指定された映像音声信号を指定された分配先の各種スタジオや収録室の機器、設備へ切り替え、配信するためのものである。スイチャコントローラ１０３は、マトリックススイッチャ１０２のクロスポイントに配置されているスイッチ装置を切替制御するコントローラである。
信号処理用周辺機器群１０４は、マトリックススイッチャ１０２により切り替えられた映像音声信号を監視用周辺機器群１０５や局内設備１０８へ分配するための周辺機器群である。この信号処理用周辺機器群１０４は、信号分配器、スキャンコンバータ、マルチプレクサ、デマルチプレクサおよびレベルコントローラを備えている。
監視用周辺機器群１０５は、この回線制御システムのオペレータが配置されているリモート室に備えられた、映像や音声を監視するための機器類である。この監視用周辺機器群１０５は、アラーム監視用ＰＣ１０６、マトリックススイッチャ制御用ＰＣ１０７、映像モニタ、波形モニタ、スピーカ、映像切替器およびレベルコントローラを備えている。
アラーム監視用ＰＣ１０６は、この回線制御システムを構成する各種デバイスのアラームを監視するパーソナルコンピュータである。
マトリックススイッチャ制御用ＰＣ１０７は、マトリックススイッチャ１０２のクロスポイントに配置されているスイッチ装置を、スイチャコントローラ１０３を介して制御し、前記外部システムを含む放送局外部から入力される各種映像音声信号を分配するパーソナルコンピュータである。なお、このマトリックススイッチャ制御用ＰＣ１０７には、前記ＦＰＵ１０９が映像音声信号の伝送を開始するとき、ＦＰＵ１０９から出力される前記映像音声信号の伝送開始を示すトリガ信号を取り込むためのポートが設けられている。
局内設備１０８は、前記各種スタジオや収録室を含む放送局内の設備類である。
【００１１】
次に動作について説明する。
この実施例１の回線制御システムは、放送局の外部から入力されるさまざまな映像音声信号を各種スタジオや収録室に分配するシステムであり、外部から入力される各種映像音声信号はマトリックススイッチャ１０２に収容される。そして、このマトリックススイッチャ１０２のクロスポイントに配置されるスイッチ装置が切替制御されることにより、指定された映像音声信号が各種スタジオや収録室の指定された分配先へ配信される。このマトリックススイッチャ１０２のクロスポイントに配置されるスイッチ装置の切替制御は、パーソナルコンピュータのＧＵＩ（Ｇｒａｐｈｉｃａｌ  Ｕｓｅｒ  Ｉｎｔｅｒｆａｃｅ）を用いた切替制御画面上でのオペレータの操作により行われる。このパーソナルコンピュータのＧＵＩを用いた切替制御画面は、ＦＰＵ１０９などの外部システムから映像音声信号が伝送されるとき、そのＦＰＵ１０９などの外部システムから送られてくる前記映像音声信号の伝送開始を示すトリガ信号をマトリックススイッチャ制御用ＰＣ１０７が検出し判定し、前記外部システムから伝送されてきた前記映像音声信号の該当する系統の切替制御画面として自動的に表示する。これによりオペレータが行うマトリックススイッチャ１０２のクロスポイントに配置されるスイッチ装置の切替制御や映像音声の監視業務の効率および信頼性を格段に向上させることが可能になる。
【００１２】
図２は、この回線制御システムの動作を示すフローチャートである。この回線制御システムの動作は、図１のマトリックススイッチャ制御用ＰＣ１０７のＣＰＵが切替制御用アプリケーションプログラムを実行することにより実現されるものである。また、図３および図４は、マトリックススイッチャ制御用ＰＣ１０７、あるいはマトリックススイッチャ制御用ＰＣ１０７とネットワークにより接続された操作端末の表示装置に表示された、マトリックススイッチャ１０２のクロスポイントに配置されるスイッチ装置の切替制御画面を示す画面図である。
放送局の外部から入力される映像音声信号は、ＳＤ  ＳＤＩ（Ｓｔａｎｄａｒｄ  Ｄｅｆｉｎｉｔｉｏｎ，  Ｓｅｒｉａｌ  Ｄｉｇｉｔａｌ  Ｉｎｔｅｒｆａｃｅ）、ＨＤ  ＳＤＩ（Ｈｉｇｈ  Ｄｅｆｉｎｉｔｉｏｎ，  Ｓｅｒｉａｌ  Ｄｉｇｉｔａｌ  Ｉｎｔｅｒｆａｃｅ）、アナログなど、信号の種類、信号フォーマットが異なっている。近年、地上ディジタル放送の流れから、外部からの信号フォーマットを回線システムでＨＤ  ＳＤＩに統一し分配したり、映像音声信号のレベルを統一したり、ビデオ信号の同期を合致させるなどの前段処理を前段処理用周辺機器群１０１で行なった上で、その映像音声信号をマトリックススイッチャ１０２へ入力する。
このマトリックススイッチャ１０２へ入力された映像音声信号は、リモート室に配置されているマトリックススイッチャ制御用ＰＣ１０７や、配信先に設置されている切替制御パネルにより切替制御する。リモート室のオペレータが切替制御を行う場合、放送局の外部から入力される映像音声信号の系統に該当した切替制御画面をマトリックススイッチャ制御用ＰＣ１０７で自動的に表示させる。この切替制御画面は、映像音声信号の配信元であるＦＰＵ１０９などの外部システムが映像音声信号の伝送を開始するとき、前記外部システムから送られてくる映像音声信号の伝送開始を示すトリガ信号を検出することで、その映像音声信号の系統に該当する切替制御画面として自動的に表示される。そして、この自動表示された切替制御画面において切替制御操作を行うべき切替ボタンを例えばブリンクさせることで、映像音声信号の伝送開始と、その映像音声信号の該当する系統の把握をオペレータにとって容易かつ確実にして、放送局の外部から入力される映像音声信号を切替制御する際の効率と信頼性の向上を図る。このようにして前記切替制御画面上でオペレータにより行われる切替制御操作により、映像音声信号はマトリックススイッチャ１０２において経路が確定され、信号処理用周辺機器群１０４へ入力される。そして、信号処理用周辺機器群１０４では、前記入力された映像音声信号に対する監視用周辺機器群１０５への信号分配と、局内設備１０８などの分配先への配信が行われる。
【００１３】
次に、図２のフローチャートと、図３および図４に示す画面図を参照して、この回線制御システムの動作を具体的に説明する。この回線制御システムの動作を規定する切替制御用アプリケーションプログラムが起動されると、マトリックススイッチャ制御用ＰＣ１０７のＣＰＵは先ず環境ファイルの読み込みを行い、各種テーブル、メモリなどの初期化を行う（ステップＳ１）。次に、スイッチャコントローラ１０３とマトリックススイッチャ制御用ＰＣ１０７との間で、例えばイーサネット（登録商標）、ＲＳ４２２、ＲＳ２３２Ｃなどを利用したネットワーク接続を行う（ステップＳ２）。そして、マトリックススイッチャ１０２から現在の全クロスポイントの接続情報を取得し、この接続情報が反映された初期画面を出力する（ステップＳ３）。この全クロスポイントの接続情報が反映された初期画面は、例えば図３の画面図の形式で示されるものである。
【００１４】
ここで、図３の画面図について説明する。
図３に示す画面図は、ＦＰＵ１０９から送られてくる映像音声信号に対するマトリックススイッチャ１０２の切替制御のための初期画面を示している。
符号２０１は、ＦＰＵ１０９から送られてくる映像音声信号に対するマトリックススイッチャ１０２の切替制御を行うための前記初期画面のタブである。符号２０２は例えば光ケーブルにより送られてくる映像音声信号に対しオペレータが操作を行うための操作画面のタブである。これらタブの操作により対応する画面が開くように構成されている。
符号２１１，２１２，２１３，２１４，２１５，２１６，２１７は、マトリックススイッチャ１０２の各クロスポイントの接続情報が反映される状態監視エリアである。
符号２２２は映像音声信号が出力されるマトリックススイッチャ１０２の出力端子名称の表示エリアであり、マトリックススイッチャ１０２の出力端子は、例えば「第１生駒Ａ」、「第１生駒Ｂ」、「第２生駒Ａ」、「第２生駒Ｂ」、「六甲」、「神戸」、「本社」などの映像音声信号が伝送されてきた系統の回線名称に対応付けられており、これら回線名称で特定されている。
【００１５】
符号２２３はマトリックススイッチャ１０２の入力端子を特定する表示エリアであり、マトリックススイッチャ１０２の入力端子は、例えば「ＨＤ」、「ＡＮＡ」、「Ｄ／Ｃ」、「Ｕ／Ｃ」、「音声」などの信号の種類、信号フォーマットに対応付けられており、これら信号の種類、信号フォーマットが表記された切替ボタンが配置されている。
符号２１１の状態監視エリアは、信号の種類、信号フォーマットが「ＨＤ」で特定されるマトリックススイッチャ１０２の入力端子が、回線名称「第１生駒Ａ」で特定される出力端子と接続されているクロスポイントを示し、符号２１３の状態監視エリアは、信号の種類、信号フォーマット「ＡＮＡ」で特定されるマトリックススイッチャ１０２の入力端子が、回線名称「第２生駒Ａ」で特定される出力端子と接続されているクロスポイントを示している。
【００１６】
符号２３１は、ＦＰＵ１０９などの外部システムが映像音声信号を伝送開始する際、その外部システムが出力するトリガ信号をもとに選択された系統で伝送される映像音声信号の種類、信号フォーマットを、符号２４１，２４２，２４３，２４４，２４５，２４６，２４７，２４８で示す信号種ボタンの信号種表記文字の色変化により表示する選択エリアである。信号種ボタンの信号種表記文字の色の変化は、例えばその映像音声信号の系統ごとに決められた特定の色に変えることで行う。このため、図３に示す選択エリア２３１の例では、トリガ信号をもとに選択された系統が「第１生駒Ａ」であり、伝送開始された映像音声信号の種類、信号フォーマットが「ＡＮＡ」であるときには、信号種ボタン２４２の信号種表記文字の色が系統「第１生駒Ａ」に割り当てられた色に変化する。
なお、この伝送開始された映像音声信号の種類、信号フォーマットについての情報は、マトリックススイッチャ１０２の前記映像音声信号が入力された入力端子情報として与えられる。
【００１７】
符号２３２は、ＦＰＵ１０９などの外部システムが映像音声信号を伝送開始する際、その外部システムが出力するトリガ信号をもとに選択された系統の回線名称を表示する出力先表示欄である。
符号２５１は、選択エリア２３１の出力先表示欄２３２に表示された系統の回線名称に対応するマトリックススイッチャ１０２の出力端子を、前記伝送開始された映像音声信号の種類、信号フォーマットに対応する入力端子へオペレータが切り替え操作するための切替ボタンである。
【００１８】
この切替制御では、選択エリア２３１の信号種表記文字が色変化した信号種ボタン２４１，２４２，２４３……のいずれかをオペレータが操作することで、出力先表示欄２３２に表示された回線名称に対応するマトリックススイッチャ１０２の出力端子が、前記オペレータにより操作された信号種ボタンに表記された信号の種類、信号フォーマットに対応するマトリックススイッチャ１０２の入力端子とが接続可能な状態になる。また、このときマトリックススイッチャ１０２の入力端子に対応する表示エリア２２３の切替ボタンの信号の種類、信号フォーマットについての表記が、前記オペレータが操作した信号種ボタンの色変化した信号種表記文字へ変化し明滅する。そして、オペレータが切替ボタン２５１を操作すると、出力先表示欄２３２に表示された回線名称に対応するマトリックススイッチャ１０２の出力端子が、今までの接続先から、前記オペレータにより操作された信号種ボタンに表記された信号の種類、信号フォーマットに対応するマトリックススイッチャ１０２の入力端子と接続される。
【００１９】
図２のフローチャートに戻り、ステップＳ３でマトリックススイッチャ１０２から取得した現在の全クロスポイントの接続情報を反映した初期画面を出力した後、続くステップＳ４において、ＦＰＵ１０９などの外部システムから送られてくるトリガ信号を取り込むための入力ポートの開設を行う。このトリガ信号は、ＦＰＵ１０９などの外部システムが映像音声信号を伝送開始する際にその外部システムから送られてくる信号であり、開設された入力ポートの各ポート番号ごとに、どの外部システムから送られてきたトリガ信号であるかが予め決められている。
【００２０】
その後、この切替制御用アプリケーションプログラムはアイドル状態となり、各種イベントの検出ループに移行し、イベント待ち状態になる。このイベント待ち状態においては、先ず、マウスイベントの発生の検出処理を行う（ステップＳ５）。このイベント待ち状態においてマウスからのイベントが入力されると、画面操作に応じた各種表示処理、デバイス制御処理を行う（ステップＳ９）。そして、ソフトウェアの終了操作の検出判定を行う（ステップＳ１０）。このソフトウェアの終了操作の検出判定においてソフトウェアの終了操作を検出すると、各種終了処理を実行し、この切替制御用アプリケーションプログラムは終了する（ステップＳ１１）。なお、ステップＳ１０のソフトウェアの終了操作の検出判定において、ソフトウェアの終了操作が検出されない場合にはステップＳ５へ戻り、ステップＳ５以降の処理を繰り返す。
ステップＳ５においてマウスからのイベントが入力されない場合、続くステップＳ６へ進む。ステップＳ６では、ＦＰＵ１０９などの外部システムから出力されたトリガ信号の検出処理を行う。ＦＰＵ１０９などの外部システムは映像音声信号の伝送開始に際してトリガ信号を出力する。このため、ＦＰＵ１０９などの外部システムから出力されたトリガ信号を前記入力ポートを介して検出すると、そのトリガ信号を取り込んだ入力ポート番号
から、伝送開始される映像音声信号の系統を判別し、該当する切替制御画面を表示する（ステップＳ７）。このトリガ信号を取り込んだ入力ポート番号から、伝送開始される映像音声信号の系統を判別する方法は、周知の技術であり詳しくは説明しないが、入力ポート番号と系統とを対応させたテーブルを設定しておき、マスク処理により識別したトリガ信号を取り込んだ入力ポート番号をもとに前記テーブルを参照し、対応する映像音声信号の系統を判別する。従って、ステップＳ６において検出したトリガ信号が、ＦＰＵ１０９から出力されたトリガ信号であると判定すると、マトリックススイッチャ１０２の切替制御を行うための図３に示す切替制御画面を出力する（ステップＳ７）。
【００２１】
ＦＰＵ１０９は系統の回線名称として「第１生駒Ａ」、アナログ信号である映像音声信号を伝送するものとし、ＦＰＵ１０９はこの映像音声信号の伝送開始に際して伝送開始を示すトリガ信号を出力する。
このためＦＰＵ１０９が前記映像音声信号の伝送開始を示すトリガ信号を出力し、マトリックススイッチャ制御用ＰＣ１０７のＣＰＵがＦＰＵ１０９から出力された前記トリガ信号を検出すると、前記ＣＰＵは、それまで表示されていた画面を切り替えて、ステップＳ３においてマトリックススイッチャ１０２の全クロスポイントの接続情報が反映された図３に示す初期画面を出力し、状態監視エリア２１１における表示エリア２２２のステップＳ７において判別した系統の回線名称「第１生駒Ａ」の背景色を例えば黄色に変化させる。そして、ＦＰＵ１０９が前記映像音声信号の伝送を開始すると、図３に示す初期画面においては状態監視エリア２１１における表示エリア２２３に表示された信号の種類、信号フォーマットは「ＨＤ」であるのに対し、前記伝送開始された映像音声信号はアナログ信号「ＡＮＡ」であり、前記系統の回線名称「第１生駒Ａ」について現在接続されている信号の種類「ＨＤ」に対応したマトリックススイッチャ１０２の入力端子と、前記伝送開始された映像音声信号が入力される入力端子とは異なっているため、状態監視エリア２１１の表示エリア２２３に表示された信号の種類、信号フォーマット「ＨＤ」が表記された切替ボタンを赤色による明滅表示にする（ステップＳ８）。
また、選択エリア２３１の出力先表示欄２３２に、前記判別した系統の回線名称「第１生駒Ａ」を表示する。さらに、選択エリア２３１に表示されている、伝送開始された映像音声信号の信号種ボタン２４２の信号種表記文字ＡＮＡを、系統「第１生駒Ａ」に割り当てられた赤色に色変化させる。
なお、系統「第１生駒Ａ」について現在接続されている信号の種類「ＨＤ」に対応した信号種ボタン２４１についてはこの状態では再選択できないため、例えばグレーアウト表示する。これ以外の選択可能な信号種ボタン２４３，２４４などについては各系統ごとの色で表示する。
【００２２】
そして、選択エリア２３１の信号種ボタン２４２がオペレータによりマウス操作され選択されると、ステップＳ９の画面操作に応じた各種表示処理により、図４の画面図に示すように、状態監視エリア２１１の表示エリア２２３の切替ボタンに表記された信号の種類、信号フォーマット「ＨＤ」を「ＡＮＡ」に切り替える。なお、この信号の種類、信号フォーマット「ＡＮＡ」に切り替えられた前記切替ボタンは赤色で明滅表示されている。
ここでオペレータが切替ボタン２５１をマウス操作により押下すると、マトリックススイッチャ１０２の系統「第１生駒Ａ」に対応した出力端子の接続状態が、現在接続されている信号の種類、信号フォーマット「ＨＤ」に対応したマトリックススイッチャ１０２の入力端子から信号の種類、信号フォーマット「ＡＮＡ」に対応した入力端子へ切り替わる。
【００２３】
以上説明したように、この実施例１によれば、トリガ信号から伝送開始される映像音声信号の系統を判別し、該当する切替制御画面を自動的に表示することが可能になる。そして、前記表示した切替制御画面の前記判別した系統の信号の種類、信号フォーマットに該当する状態監視エリアにおける表示エリア２２３の切替ボタンを明滅させることで、オペレータはどの系統からどのような信号の種類、信号フォーマットで映像音声信号が入力されたかを瞬時に判別することが可能になる。また、オペレータによるマトリックススイッチャ１０２の切替制御操作も、信号種表記文字が赤色に色変化した選択エリア２３１の信号種ボタン２４２をオペレータがマウス操作により選択し、切替ボタン２５１をマウス操作により押下するという簡単な操作でマトリックススイッチャ１０２の切替制御が可能になり、放送局の外部から伝送された映像音声信号を局内設備へ分配するためのマトリックススイッチャ１０２の切替制御において、切替操作を効率的に行うことが出来るとともに、操作上の間違いを確実に防止できる回線制御システムを提供できる効果がある。
【図面の簡単な説明】
【００２４】
【図１】本発明の実施例１の回線制御システムの構成を示すブロック図である。
【図２】本発明の実施例１の回線制御システムの動作を示すフローチャートである。
【図３】本発明の実施例１の回線制御システムにおけるマトリックススイッチャのクロスポイントに配置されるスイッチ装置の切替制御画面を示す画面図である。
【図４】本発明の実施例１の回線制御システムにおけるマトリックススイッチャのクロスポイントに配置されるスイッチ装置の切替制御画面を示す画面図である。
【符号の説明】
【００２５】
１０２……マトリックススイッチャ、１０３……スイッチャコントローラ（スイッチャ制御手段）、１０７……マトリックススイッチャ制御用ＰＣ（接続情報反映手段、判定手段、出力手段，表示形態処理手段，スイッチャ制御手段）。
【図１】
2006237697.tif 000003
【図２】
2006237697.tif 000004
【図３】
2006237697.tif 000005
【図４】
2006237697.tif 000006